(57)【要約】【課題】足指への刺激のみならず、足の他の部分に対しても適切な刺激を与える足指健康器具を提供する。【解決手段】足指健康器具は、ベース部と、ベース部から離れた第１の位置とベース部の近くの第２の位置との間で移動可能に足指を保持する可動部と、可動部を第２の位置から第１の位置に向けて付勢する弾性部と、ベース部上に設けられていて第２の位置から第１の位置に向かって突出する複数の突起部であって、各突起部が可動部上の足指の間に挿入されるようにベース部上に間隔をおいて配置された突起部とを備える。【選択図】図１
2007083023.tif 000002
【特許請求の範囲】
【請求項１】
ベース部と、該ベース部から離れた第１の位置と前記ベース部の近くの第２の位置との間で移動可能に足指を保持する可動部と、該可動部を前記第２の位置から前記第１の位置に向けて付勢する弾性部と、前記ベース部上に設けられていて前記第２の位置から前記第１の位置に向かって突出する複数の突起部であって、各突起部が前記可動部上の足指の間に挿入されるように前記ベース部上に間隔をおいて配置された突起部とを備える足指健康器具。
【請求項２】
請求項１の足指健康器具において、前記複数の突起部が、第１から第４までの突起部からなり、前記可動部に足指を載せて前記弾性部に抗して該可動部を前記ベース部に向かって移動させると、前記第１の突起部が前記足指の拇指と人差指との間に挿入され、前記第２の突起が前記足指の人差指と中指との間に挿入され、前記第３の突起が前記足指の中指と薬指との間に挿入され、さらに、前記第４の突起が前記薬指と小指との間に挿入される足指健康器具。
【請求項３】
請求項２の足指健康器具において、前記可動部に複数のスリット部が形成されていて、各スリット部から前記複数の突起部の各々が突出することができる足指健康器具。
【請求項４】
請求項１の足指健康器具において、前記弾性部がバネ部材である足指健康器具。
【請求項５】
請求項４の足指健康器具において、前記バネ部材が、弾性のある棒状部材を折り曲げたもの、弾性のある板状部材を折り曲げたもの、またはコイルスプリングのいずれかである足指健康器具。
【請求項６】
請求項１の足指健康器具において、前記複数の突起部の各突起部が、前記第２の位置から前記第１の位置に向かってだんだんと幅が狭まるように形成されていて、前記可動部に足指を載せて前記弾性部に抗して該可動部を前記第１の位置から前記第２の位置に移動させると、前記突起部の各々が前記足指の各間に挿入されて、前記足指の各々が拡げられるようになる足指健康器具。
【請求項７】
請求項１の足指健康器具において、前記複数の突起部の各突起部が、前記第２の位置から前記第１の位置に向かってだんだんと幅が広がるように形成されていて、前記第１の位置にある前記可動部に足指を載せると、前記突起部の各々が前記足指の各間に挿入されて、前記足指の各々が拡げられるようになり、さらに、前記弾性部に抗して前記可動部を前記第１の位置から前記第２の位置に移動させると、前記足指が閉じられるようになる足指健康器具。
【請求項８】
請求項１の足指健康器具において、前記可動部に前記足指の各々を挿入することのできる複数の筒状部が設けられている足指健康器具。
【請求項９】
請求項１の足指健康器具において、さらに、足を保持する保持部を有し、該保持部が前記可動部を有しており、該保持部に複数の開口を設け、それにより、該可動部を前記第１の位置から第２の位置に移動させると、該複数の開口から流体を噴出させることができる足指健康器具。
【請求項１０】
請求項９の足指健康器具において、前記保持部の表面に複数の小突起部を設け、足を該保持部に載せると、該複数の小突起部が、該足指または該足指の足の裏面に接触する足指健康器具。
【請求項１１】
請求項１の足指健康器具において、前記可動部に足指を挿入する筒状部が形成されている足指健康器具。
【発明の詳細な説明】
【技術分野】
【０００１】
本発明は、足指及びふくらはぎ等の足指健康器具に関する。
【背景技術】
【０００２】
【特許文献１】実用新案登録第３０６２５７７号公報  特許文献１は、座台部とその上面側に設けられた４つの突起部とからなり、４つの突起部によって各足指の間隔を拡げる足指健康具を開示する。
【特許文献２】特開２００２−３４５５０１号公報  特許文献２は、足の五指をそれぞれ挿入する筒状部を設けた外反母趾の予防矯正用サンダルを開示する。
【特許文献３】実用新案登録第３０６８１１０号公報  特許文献３は、４つの突出する棒体を有し各足指の間にそれらを入れることによって足指を指圧する履物を開示する。
【発明の開示】
【発明が解決しようとする課題】
【０００３】
足指を広げる突起部を足指の間に挿入するだけでは、足指に対する刺激が画一的になってしまっており、また、足の五指をそれぞれ挿入する筒状部を有するサンダルでは、足指に適切な刺激を与えることができずにいる。また、足指への刺激のみならず、足の他の部分に対しても適切な刺激を与えるような健康器具が存在していない。
【課題を解決するための手段】
【０００４】
本発明は、上記の課題に鑑みなされたもので、本発明に係る足指健康器具は、ベース部と、ベース部から離れた第１の位置とベース部の近くの第２の位置との間で移動可能に足指を保持する可動部と、可動部を第２の位置から第１の位置に向けて付勢する弾性部と、ベース部上に設けられていて第２の位置から第１の位置に向かって突出する複数の突起部であって、各突起部が可動部上の足指の間に挿入されるようにベース部上に間隔をおいて配置された突起部とを備えることを特徴とする。
【０００５】
その足指健康器具において、複数の突起部が、第１から第４までの突起部からなり、可動部に足指を載せて弾性部に抗して可動部をベース部に向かって移動させると、第１の突起部が足指の拇指と人差指との間に挿入され、第２の突起が足指の人差指と中指との間に挿入され、第３の突起が足指の中指と薬指との間に挿入され、さらに、第４の突起が薬指と小指との間に挿入されるようにしてもよい。
【０００６】
また、可動部に複数のスリット部が形成されていて、各スリット部から複数の突起部の各々が突出することができる。
【０００７】
弾性部がバネ部材であってもよく、バネ部材が、弾性のある棒状部材を折り曲げたもの、弾性のある板状部材を折り曲げたもの、またはコイルスプリングのいずれかであってもよい。
【０００８】
また、複数の突起部の各突起部が、第２の位置から第１の位置に向かってだんだんと幅が狭まるように形成されていて、可動部に足指を載せて弾性部に抗して可動部を第１の位置から第２の位置に移動させると、突起部の各々が足指の各間に挿入されて、足指の各々が拡げられるようにしてもよい。または、複数の突起部の各突起部が、第２の位置から第１の位置に向かってだんだんと幅が広がるように形成されていて、第１の位置にある可動部に足指を載せると、突起部の各々が足指の各間に挿入されて、足指の各々が拡げられるようになり、さらに、弾性部に抗して可動部を第１の位置から第２の位置に移動させると、足指が閉じられるようにしてもよい。
【０００９】
可動部に足指の各々を挿入することのできる複数の筒状部を設けてもよく、さらに、足を保持する保持部を有するようにして、保持部が可動部を有しており、保持部に複数の開口を設け、それにより、可動部を第１の位置から第２の位置に移動させると、複数の開口から流体を噴出させることができる。
【００１０】
保持部の表面に複数の小突起部を設け、足を保持部に載せると、複数の小突起部が、足指または該足指の足の裏面に接触するようにしてもよい。また、可動部に足指を挿入する筒状部を形成するようにしてもよい。
【発明の効果】
【００１１】
本発明の足指健康器具によると、足指のツボに対し容易に繰り返して適切な刺激を与えることができるため、より良い足指の血流の改善及びより高い関節機能の向上を図ることができる。
【００１２】
また、無理なく足の五指を拡げたり閉じたりする運動を行うことができるため、外反母趾を予防し、または、外反母趾に起因するさまざまな症状を軽減または改善することができる。
【００１３】
さらに、足首の曲げ伸ばしも伴うので、足首の関節の機能の向上やふくらはぎの血流の改善等も図ることができる。
【発明を実施するための最良の形態】
【００１４】
以下、添付図面に沿って、本発明に係る足指健康器具の一実施例を説明する。
[足指健康器具の概要]
図１は、右足用の足指健康器具１０の斜視図である。図２は、図１の足指健康器具１０の上面図である。図示していないが左足用の足指健康器具はそれと左右対称の形状のものであり、通常両足で同時に使用するが、片足ずつ用いることもできる。説明を簡略化する観点から、以下、右足用の足指健康器具１０について説明する。
【００１５】
足指健康器具１０は、ベース部１１と足の保持部１２とを備える。ベース部１１は家の床や浴槽等に接する部分であり、裏面には、図示していないが、滑り止めの凹凸部が形成されることが望ましい。保持部１２は、柔軟な部材から形成されていて、ベース部１１に固定された固定部１２−２と、屈曲部１２−３から曲がってベース部１１から離れるように上下に動くことができる可動部１２−１とから構成されている。後述するように、固定部１２−２には足のかかとの部分が載り、可動部１２−１には、足の土踏まずの辺りから足指の部分までが載る。
【００１６】
可動部１２−１は、拇指が載る部分１２-１ａ、人差指が載る部分１２−１ｂ、中指が載る部分１２−１ｃ、薬指が載る部分１２−１ｄ及び小指が載る部分１２−ｅから構成されていて、それらの部分の間には、後述する第１から第４までの４つの突起部１４、１５、１６、１７の各々が突出することのできるスリット部１４ａ、１４ｂ、１４ｃ、１４ｄが形成されている。
【００１７】
ベース部１１の先端部（可動部１２−１の足指が載る部分の下方に位置する部分）には、第１から第４までの４つの突起部１４、１５、１６、１７が設けられている。それぞれの突起部は概略くさびのような形状に形成されていて、底部がベース部１１に固定されている。それにより、図１に示すように、各突起部は、ベース部１１に固定された部分から上方に向かって（すなわち可動部１２−１のスリット部１４ａ、１４ｂ、１４ｃ、１４ｄに向かって）、だんだんと薄くなるように形成されている。
【００１８】
突起部１４とベース部１１の側面との間と、４つの突起部１４、１５、１６、１７のそれぞれの間と、突起部１７とベース部１１の側面との間には、それぞれ、帯状の柔軟な部材によって筒状部１３ａ、１３ｂ、１３ｃ、１３ｄ、１３ｅが形成されている。その筒状部１３ａ、１３ｂ、１３ｃ、１３ｄ、１３ｅと、足指が載る部分１２-１ａ、１２−１ｂ、１２−１ｃ、１２−１ｄ、１２−ｅとによって、筒状の空間が形成され、それぞれの空間には、足の拇指、人差指、中指、薬指及び小指が挿入される。
【００１９】
可動部１２−１とベース部１１との間には、バネ部２０が設けられている。そのバネ部２０は、この実施例では、ピアノ線のような棒状の剛体を折り曲げたもので、その折り曲げ部２４（図３）を保持部１２の屈曲部１２−３の近くに配置し、２本の開放側をそれぞれ固定部２２を用いて可動部１２−１の裏側とベース部１１の上面に固定している（可動部１２−１への固定部は図示せず）。これにより、可動部１２−１をベース部１１に近づけるように押し下げると、そのバネ部２０によって、可動部１２−１に元の位置に戻る向きの付勢力が作用する。
【００２０】
図３は、図１に示す右足用の足指健康器具１０の側面図であり、足３０のかかとを保持部１２の固定部１２−２に載せるとともに足指（図３には拇指３０ａのみを示す）を可動部１２−１ａ等に載せて筒状部１３ａ等に挿入した状態を示す。その図では、足指に力を加えていないため、保持部１２の可動部１２−１は、第１の位置である通常の位置（移動していない位置）にある。この状態で足指に力を加えると、可動部１２−１をベース部１１に向かって押し下げることができる。
【００２１】
具体的には、図３において、足指に力を加え、バネ部２０の力に抗して、可動部１２−１の指が載る部分１２-１ａ、１２−１ｂ、１２−１ｃ、１２−１ｄ、１２−ｅを押し下げると（または踏み込むと）、可動部１２−１の指の載る部分は、図４に示すように、ベース部１１に近い位置の第２の位置まで移動する。
【００２２】
図４は、図３における足指健康器具１０をその図に向かって左から見た状態を示す。図４は、可動部１２−１の指が載る部分１２-１ａ、１２−１ｂ、１２−１ｃ、１２−１ｄ、１２−ｅの動きと、足指と各突起部との位置関係を説明するためのものであるため、可動部１２−１の位置は、図３における位置とは異なっている。
【００２３】
図４に示すように、突起部１４、１５は、その図に向かって左側に倒れる傾斜面を有しており、また、突起部１６、１７はその図に向かって右側に倒れる傾斜面を有している。その傾斜面の作用により、詳細は後述するが、足指が可動部１２−１とともに下降するにつれて、それぞれの足指が外側に向かって拡げられる。
［足指健康器具の使用例］
足指健康器具１０は、どのような場所でもどのような姿勢でも使用することができる。例えば、床において立った姿勢で用いることもできるし、椅子に座った状態でも使用できるし、また、浴槽内で足を伸ばした状態でサンダルを履くような姿勢をとり、足指健康器具１０を浴槽内の側面に押し付けるようにして用いることもできる。
【００２４】
使用状態が理解しやすいように、ここでは、床面において用いる場合を説明する。姿勢はたったままでも椅子に腰掛けた状態のいずれでもよい。まず、図３に示すように、足３０のかかとを保持部１２の固定部１２−２に載せるとともに、拇指３０ａ、人差指３０ｂ、中指３０ｃ、薬指３０ｄ、小指３０ｅを、それぞれ、可動部１２−１の指が載る部分１２-１ａ、１２−１ｂ、１２−１ｃ、１２−１ｄ、１２−ｅに載せながら、筒状部１３ａ、１３ｂ、１３ｃ、１３ｄ、１３ｅ内に挿入する。これが、第１の位置である。
【００２５】
次に、拇指３０ａ、人差指３０ｂ、中指３０ｃ、薬指３０ｄ、小指３０ｅのそれぞれに力を加えて、バネ部２０の力に抗して、可動部１２−１の指が載る部分１２-１ａ、１２−１ｂ、１２−１ｃ、１２−１ｄ、１２−ｅを押し下げる。言い換えると、それぞれの足指によって、可動部１２−１の指が載る部分１２-１ａ、１２−１ｂ、１２−１ｃ、１２−１ｄ、１２−ｅを踏み込む。その状態が、図４に示す状態であり、第２の位置になる。
【００２６】
このように、図３に示す第１の位置から図４に示す第２の位置まで、可動部１２−１の指の載る部分１２-１ａ、１２−１ｂ、１２−１ｃ、１２−１ｄ、１２−ｅは移動する。その移動の際には、拇指３０ａ及び人差指３０ｂは、第１及び第２の突起部１４、１５の左側に傾斜する傾斜面に沿って移動するため、その傾斜面によって、拇指３０ａ及び人差指３０ｂは、図３に向かって右側に向かって動かされる。
【００２７】
また、薬指３０ｄ及び小指３０ｅは、第３及び第４の突起部１６、１７の右側に傾斜する傾斜面に沿って移動するため、その傾斜面によって、拇指３０ａ及び人差指３０ｂとは逆に、図３に向かって左側に動かされる。
【００２８】
上記のような拇指３０ａ、人差指３０ｂ、薬指３０ｄ及び小指３０ｅの左右の動きのため、それぞれは、外側に向かって拡げられることになる。このように、各突起部１４−１７が足指の間を拡げる動きをする際に、それぞれの足指のツボを押えてそれらに適切な刺激を与えることができるようになる。
【００２９】
なお、この実施例では、中指３０ｃは突起部１５、１６の垂直な面の間を移動させて、他の指を広げるように突起部１４−１７の傾斜面の傾き設定したが、すべての指がそれぞれ少しずつ横方向に拡がるように傾斜面の傾きを定めてもよい。
【００３０】
次に、拇指３０ａ、人差指３０ｂ、中指３０ｃ、薬指３０ｄ、小指３０ｅに加えている力を少しずつ抜くと、それにつれて、バネ部２０の付勢力によって、可動部１２−１の指が載る部分１２-１ａ、１２−１ｂ、１２−１ｃ、１２−１ｄ、１２−ｅが、第１の位置に向かって押し戻される。この戻る際には、拇指３０ａ、人差指３０ｂ、中指３０ｃ、薬指３０ｄ、小指３０ｅが、それぞれ、突起部１４、１５、１６、１７の斜面に沿って移動するので、拇指３０ａ、人差指３０ｂ、中指３０ｃ、薬指３０ｄ、小指３０ｅは閉じるようになる。その閉じる際には、突起部１４−１７がそれぞれ動きながら拇指３０ａ等に接するので、拇指３０ａ等のツボに適切な刺激を与えることができる。
【００３１】
可動部１２−１の指が載る部分１２-１ａ、１２−１ｂ、１２−１ｃ、１２−１ｄ、１２−ｅが、第１の位置に戻ると、拇指３０ａ、人差指３０ｂ、中指３０ｃ、薬指３０ｄ、小指３０ｅに再度力を加えて、指が載る部分１２-１ａ、１２−１ｂ、１２−１ｃ、１２−１ｄ、１２−ｅを第２の位置に移動させる。これらの動作を繰り返す。これにより、足指３０ａ等によって可動部１２−１の指が載る部分１２-１ａ等を踏み込み、また、その踏み込む力を抜くだけで、足指が第１の位置から第２の位置の間を往復し、その際に、突起部１４−１７によって足指３０ａ等に適切な刺激を与えることができる。
［変形例］
図５は、上記の実施例に係るバネ部２０の別の実施例に係るバネ部５０を示す。そのバネ部５０はコイルスプリング形状をしており、上記の実施例に係るバネ部２０の代わりに、ベース部１１と可動部１２−１の間に配置することができる。これにより、可動部１２−１を第１の位置から第２の位置に踏み込み、第２の位置に達したときに足指の力を抜くと、バネ部５０の付勢力によって、可動部１２−１が第１の位置に向かって押し戻される。
【００３２】
図６は、さらに別の実施例に係るバネ部６０を示す。このバネ部６０は板状の弾性部材を折り曲げ部６４で折り曲げたものである。これは、上記の実施例の棒状の部材を折り曲げて形成したバネ部２０と同様に、折り曲げ部６４を保持部１２の屈曲部１２−３の近くに配置するとともに、２つの開放側をそれぞれ固定部を用いて可動部１２−１の裏側とベース部１１の上面に固定するように設けることができる。それにより、可動部１２−１をベース部１１に近づけるように押し下げると２つの開放側が近づいて、可動部１２−１に元の位置に戻る向きの付勢力を与えるようになる。
【００３３】
図７は、上記の実施例に係る保持部１２の別の実施例に係る保持部７０を示す。その保持部７０は足のかかとが載る固定部７０−１と足指が載る可動部７０−２とからなる。固定部７０−１には、一部を拡大した斜視図に示すように、複数の突起７６が形成されている。これにより、保持部７０に足を載せた場合にその足裏に適度な刺激を与えることができる。また、可動部７０−２には、複数の小さな開口７４が形成されている。これにより、例えば、本発明に係る足指健康器具を浴槽内で用いた場合に、可動部７０−２への踏み込みと脱力とを何度も繰り返すと、その踏み込みを行うごとに、開口７４から浴槽内のお湯を噴出させることができる。なお、そのため、この実施例では、例えば、ベース部１１と可動部７０−２とにカバーをして、可動部７０−２を踏み込んだ際に、お湯が、ベース部１１と可動部７０−２との間の空間から漏れ出てしまわずに、開口７４から噴出できるようにする必要がある。そのようにすることによって、開口７４からのお湯の噴出が足裏に適度な刺激を与えることができる。
【００３４】
また、図１の実施例においては、突起部１４−１７は、ベース部１１から離れるに従って薄くなっているが、例えば、図示していないが、概略そのベース部の上下が逆になるように形成すると、つまり、図１の実施例の突起部の形状とは逆に、ベース部１１から離れるに従って厚くなるように突起部を形成すると、足指を可動部１２−１においた場合に、足指がそれぞれ最も離れるように拡がるようになり、足指で可動部１２−１を踏み込むと、それにつれて足指がだんだんと薄くなる突起部に沿って移動するので、足指がだんだんと閉じるように近づくようになる。この場合にも、足指が突起部に沿って移動する際に、突起部によって足指が拡げられたり閉じられたりするので、足指にその突起部から適切な刺激が与えられる。
【図面の簡単な説明】
【００３５】
【図１】図１は、本発明に係る足指健康器具の一実施例の斜視図である。
【図２】図２は、図１に係る足指健康器具の上面図である。
【図３】図３は、図１に係る足指健康器具の側面図である。
【図４】図４は、図３に係る足指健康器具の正面から見た簡略化図である。
【図５】図５は、本発明に係る足指健康器具のバネ部の別の実施例を示す側面図である。
【図６】図６は、本発明に係る足指健康器具のバネ部のさらに別の実施例を示す斜視図である。
【図７】図７は、本発明に係る足指健康器具の保持部の別の実施例を示す上面図である。
【符号の説明】
【００３６】
１０              足指健康器具
１１              ベース部
１２，７０        保持部
１２−１          可動部
１２−２          固定部
１３              筒状部
１４，１５，１６，１７    突起部
２０，５０，６０          バネ部
７４              開口
７６              突起
【図１】
2007083023.tif 000003
【図２】
2007083023.tif 000004
【図３】
2007083023.tif 000005
【図４】
2007083023.tif 000006
【図５】
2007083023.tif 000007
【図６】
2007083023.tif 000008
【図７】
2007083023.tif 000009